【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
マルチクラスタ送信のための相互変調歪み積のスペクトル位置を判断することと、
対応するスペクトル領域に前記スペクトル位置をマッピングすることと、
前記対応するスペクトル領域に少なくとも部分的に基づいて、前記マルチクラスタ送信の最大電力低減値と、前記マルチクラスタ送信が、所定のリソースブロック比閾値に少なくとも部分的に基づいて、均衡な数のリソースブロックを含むかどうかとを判断することと、前記最大電力低減値はさらに、
前記マルチクラスタ送信が、前記均衡な数のリソースブロックを含む場合、領域インデックスの第１のマッピング、または、
前記マルチクラスタ送信が、不均衡な数のリソースブロックを含む場合、領域インデックスの第２のマッピング
から判断される、
指定されたサービス品質（ＱｏＳ）および送信電力制限を維持するために前記判断された最大電力低減値をユーザ機器でのアップリンク送信に適用することと
を備える、方法。
【請求項２】
前記マッピングすることはさらに、各相互変調歪み積の少なくとも１つのギャップおよび帯域幅の前記スペクトル位置をマッピングすることを備える、請求項１に記載の方法。
【請求項３】
前記スペクトル位置の境界を判断すること
をさらに備え、
前記マッピングすることは、前記スペクトル位置の前記境界に少なくとも部分的に基づく、請求項１に記載の方法。
【請求項４】
前記マッピングすることはさらに、周波数およびリソースブロックをマッピングすることを備える、請求項３に記載の方法。
【請求項５】
前記マルチクラスタ送信のために、３次相互変調歪み積または５次相互変調歪み積のうちの少なくとも１つに対応する前記スペクトル領域の組み合わせを判断することと、
前記組み合わせに基づいて、前記最大電力低減値を判断することと
をさらに備える、請求項１に記載の方法。
【請求項６】
前記マルチクラスタ送信に関連付けられたリソースブロックの数に少なくとも部分的に基づいて、前記スペクトル領域を定義することをさらに備える、請求項１に記載の方法。
【請求項７】
ワイヤレス通信のための装置であって、
メモリと、
前記メモリに結合された少なくとも１つのプロセッサと
を備え、
前記少なくとも１つのプロセッサは、
マルチクラスタ送信のための相互変調歪み積のスペクトル位置を判断し、
対応するスペクトル領域に前記スペクトル位置をマッピングし、
前記対応するスペクトル領域に少なくとも部分的に基づいて、前記マルチクラスタ送信の最大電力低減値と、前記マルチクラスタ送信が、所定のリソースブロック比閾値に少なくとも部分的に基づいて、均衡な数のリソースブロックを含むかどうかとを判断し、前記最大電力低減値はさらに、
前記マルチクラスタ送信が、前記均衡な数のリソースブロックを含む場合、領域インデックスの第１のマッピング、または、
前記マルチクラスタ送信が、不均衡な数のリソースブロックを含む場合、領域インデックスの第２のマッピング
から判断される、
指定されたサービス品質（ＱｏＳ）および送信電力制限を維持するために前記判断された最大電力低減値をユーザ機器でのアップリンク送信に適用するように構成される、装置。
【請求項８】
前記少なくとも１つのプロセッサはさらに、各相互変調歪み積の少なくとも１つのギャップおよび帯域幅の前記スペクトル位置をマッピングするように構成される、請求項７に記載の装置。
【請求項９】
前記少なくとも１つのプロセッサはさらに、
前記スペクトル位置の境界を判断し、
前記スペクトル位置の前記境界に少なくとも部分的に基づいて、前記対応するスペクトル領域に前記スペクトル位置をマッピングする
ように構成される、請求項７に記載の装置。
【請求項１０】
前記少なくとも１つのプロセッサはさらに、周波数およびリソースブロックをマッピングするように構成される、請求項９に記載の装置。
【請求項１１】
前記少なくとも１つのプロセッサはさらに、
前記マルチクラスタ送信のために、３次相互変調歪み積または５次相互変調歪み積のうちの少なくとも１つに対応する前記スペクトル領域の組み合わせを判断し、
前記組み合わせに基づいて、前記最大電力低減値を判断する
ように構成される、請求項７に記載の装置。
【請求項１２】
前記少なくとも１つのプロセッサは、前記マルチクラスタ送信に関連付けられたリソースブロックの数に少なくとも部分的に基づいて、前記スペクトル領域を定義する、請求項７に記載の装置。
【請求項１３】
ワイヤレス通信のために動作可能な装置であって、
マルチクラスタ送信のための相互変調歪み積のスペクトル位置を判断するための手段と、
対応するスペクトル領域に前記スペクトル位置をマッピングするための手段と、
前記対応するスペクトル領域に少なくとも部分的に基づいて、前記マルチクラスタ送信の最大電力低減値と、前記マルチクラスタ送信が、所定のリソースブロック比閾値に少なくとも部分的に基づいて、均衡な数のリソースブロックを含むかどうかとを判断するための手段と、前記最大電力低減値はさらに、
前記マルチクラスタ送信が、前記均衡な数のリソースブロックを含む場合、領域インデックスの第１のマッピング、または、
前記マルチクラスタ送信が、不均衡な数のリソースブロックを含む場合、領域インデックスの第２のマッピング
から判断される、
指定されたサービス品質（ＱｏＳ）および送信電力制限を維持するために前記判断された最大電力低減値をユーザ機器でのアップリンク送信に適用するための手段と
を備える、装置。
【請求項１４】
前記スペクトル位置の境界を判断するための手段と、
前記スペクトル位置の前記境界に少なくとも部分的に基づいて、前記対応するスペクトル領域に前記スペクトル位置をマッピングするための手段と
をさらに備える、請求項１３に記載の装置。
【請求項１５】
前記マルチクラスタ送信のために、３次相互変調歪み積または５次相互変調歪み積のうちの少なくとも１つに対応する前記スペクトル領域の組み合わせを判断するための手段と、
前記組み合わせに基づいて、前記最大電力低減値を判断するための手段と
をさらに備える、請求項１３に記載の装置。
【請求項１６】
ワイヤレス通信のために動作可能なコンピュータプログラム製品であって、前記コンピュータプログラム製品は、
記憶されたプログラムコードを有し、コンピュータ内に存在する命令によって実行可能である非一時的コンピュータ可読媒体
を備え、
前記プログラムコードは、
マルチクラスタ送信のための相互変調歪み積のスペクトル位置を判断するためのプログラムコードと、
対応するスペクトル領域に前記スペクトル位置をマッピングするためのプログラムコードと、
前記対応するスペクトル領域に少なくとも部分的に基づいて、前記マルチクラスタ送信の最大電力低減値と、前記マルチクラスタ送信が、所定のリソースブロック比閾値に少なくとも部分的に基づいて、均衡な数のリソースブロックを含むかどうかとを判断するためのプログラムコードと、前記最大電力低減値はさらに、
前記マルチクラスタ送信が、前記均衡な数のリソースブロックを含む場合、領域インデックスの第１のマッピング、または、
前記マルチクラスタ送信が、不均衡な数のリソースブロックを含む場合、領域インデックスの第２のマッピング
から判断される、
指定されたサービス品質（ＱｏＳ）および送信電力制限を維持するために前記判断された最大電力低減値をユーザ機器でのアップリンク送信に適用するためのプログラムコードと
を備える、コンピュータプログラム製品。
【請求項１７】
前記プログラムコードはさらに、
前記スペクトル位置の境界を判断するためのプログラムコードと、
前記スペクトル位置の前記境界に少なくとも部分的に基づいて、前記対応するスペクトル領域に前記スペクトル位置をマッピングするためのプログラムコードと
を備える、請求項１６に記載のコンピュータプログラム製品。
【請求項１８】
前記プログラムコードはさらに、
前記マルチクラスタ送信のために、３次相互変調歪み積または５次相互変調歪み積のうちの少なくとも１つに対応する前記スペクトル領域の組み合わせを判断するためのプログラムコードと
前記組み合わせに基づいて、前記最大電力低減値を判断するためのプログラムコードと
を備える、請求項１６に記載のコンピュータプログラム製品。
【手続補正２】
【補正対象書類名】明細書
【補正対象項目名】００７２
【補正方法】変更
【補正の内容】
【００７２】
[0093]  本開示の先の説明は、当業者が本開示を実行または使用することを可能にするために提供される。本開示に対する様々な変更は、当業者には容易に明らかであり、本明細書で定義される包括的な原理は、本開示の精神または範囲から逸脱することなく他の変形例に適用されうる。このように、本開示は、本明細書で説明された例および設計に限定されることは意図しておらず、本明細書に開示された原理および新規な特徴と一致する最も広い範囲が与えられるべきである。
以下に本願の出願当初の特許請求の範囲に記載された発明を付記する。
［Ｃ１］
ワイヤレス通信の方法であって、
マルチクラスタ送信のための相互変調歪み積のスペクトル位置を判断することと、
対応するスペクトル領域に前記スペクトル位置をマッピングすることと、
前記対応するスペクトル領域に少なくとも部分的に基づいて、前記マルチクラスタ送信の最大電力低減値を判断することと
を備える、方法。
［Ｃ２］
前記マッピングすることはさらに、各相互変調歪み積の少なくとも１つのギャップおよび帯域幅の前記スペクトル位置をマッピングすることを備える、Ｃ１に記載の方法。
［Ｃ３］
前記スペクトル位置の境界を判断すること
をさらに備え、
前記マッピングすることは、前記スペクトル位置の前記境界に少なくとも部分的に基づく、Ｃ１に記載の方法。
［Ｃ４］
前記マッピングすることはさらに、周波数およびリソースブロックをマッピングすることを備える、Ｃ３に記載の方法。
［Ｃ５］
前記マルチクラスタ送信のために、３次相互変調歪み積または５次相互変調歪み積のうちの少なくとも１つに対応する前記スペクトル領域の組み合わせを判断することと、
前記組み合わせに基づいて、前記最大電力低減値を判断することと
をさらに備える、Ｃ１に記載の方法。
［Ｃ６］
前記マルチクラスタ送信が、所定のリソースブロック比閾値に基づいて、均衡な数のリソースブロックを含むかどうかを判断することと、
前記マルチクラスタ送信が、前記均衡な数のリソースブロックを含む場合、領域インデックスの第１のマッピングを使用して前記最大電力低減値を判断することと、
前記マルチクラスタ送信が、不均衡な数のリソースブロックを含む場合、領域インデックスの第２のマッピングを使用して前記最大電力低減値を判断することと
をさらに備える、Ｃ１に記載の方法。
［Ｃ７］
前記マルチクラスタ送信に関連付けられたリソースブロックの数に少なくとも部分的に基づいて、前記スペクトル領域を定義することをさらに備える、Ｃ１に記載の方法。
［Ｃ８］
ワイヤレス通信のための装置であって、
メモリと、
前記メモリに結合された少なくとも１つのプロセッサと
を備え、
前記少なくとも１つのプロセッサは、
マルチクラスタ送信のための相互変調歪み積のスペクトル位置を判断し、
対応するスペクトル領域に前記スペクトル位置をマッピングし、
前記対応するスペクトル領域に少なくとも部分的に基づいて、前記マルチクラスタ送信の最大電力低減値を判断する
ように構成される、装置。
［Ｃ９］
前記少なくとも１つのプロセッサはさらに、各相互変調歪み積の少なくとも１つのギャップおよび帯域幅の前記スペクトル位置をマッピングするように構成される、Ｃ８に記載の装置。
［Ｃ１０］
前記少なくとも１つのプロセッサはさらに、
前記スペクトル位置の境界を判断し、
前記スペクトル位置の前記境界に少なくとも部分的に基づいて、前記対応するスペクトル領域に前記スペクトル位置をマッピングする
ように構成される、Ｃ８に記載の装置。
［Ｃ１１］
前記少なくとも１つのプロセッサはさらに、周波数およびリソースブロックをマッピングするように構成される、Ｃ１０に記載の装置。
［Ｃ１２］
前記少なくとも１つのプロセッサはさらに、
前記マルチクラスタ送信のために、３次相互変調歪み積または５次相互変調歪み積のうちの少なくとも１つに対応する前記スペクトル領域の組み合わせを判断し、
前記組み合わせに基づいて、前記最大電力低減値を判断する
ように構成される、Ｃ８に記載の装置。
［Ｃ１３］
前記少なくとも１つのプロセッサはさらに、
前記マルチクラスタ送信が、所定のリソースブロック比閾値に基づいて、均衡な数のリソースブロックを含むかどうかを判断し、
前記マルチクラスタ送信が、前記均衡な数のリソースブロックを含む場合、領域インデックスの第１のマッピングを使用して前記最大電力低減値を判断し、
前記マルチクラスタ送信が、不均衡な数のリソースブロックを含む場合、領域インデックスの第２のマッピングを使用して前記最大電力低減値を判断する
ように構成される、Ｃ８に記載の装置。
［Ｃ１４］
前記少なくとも１つのプロセッサは、前記マルチクラスタ送信に関連付けられたリソースブロックの数に少なくとも部分的に基づいて、前記スペクトル領域を定義する、Ｃ８に記載の装置。
［Ｃ１５］
ワイヤレス通信のために動作可能な装置であって、
マルチクラスタ送信のための相互変調歪み積のスペクトル位置を判断するための手段と、
対応するスペクトル領域に前記スペクトル位置をマッピングするための手段と、
前記対応するスペクトル領域に少なくとも部分的に基づいて、前記マルチクラスタ送信の最大電力低減値を判断するための手段と
を備える、装置。
［Ｃ１６］
前記スペクトル位置の境界を判断するための手段と、
前記スペクトル位置の前記境界に少なくとも部分的に基づいて、前記対応するスペクトル領域に前記スペクトル位置をマッピングするための手段と
をさらに備える、Ｃ１５に記載の装置。
［Ｃ１７］
前記マルチクラスタ送信のために、３次相互変調歪み積または５次相互変調歪み積のうちの少なくとも１つに対応する前記スペクトル領域の組み合わせを判断するための手段と、
前記組み合わせに基づいて、前記最大電力低減値を判断するための手段と
をさらに備える、Ｃ１５に記載の装置。
［Ｃ１８］
ワイヤレス通信のために動作可能なコンピュータプログラム製品であって、前記コンピュータプログラム製品は、
記憶されたプログラムコードを有する非一時的コンピュータ可読媒体
を備え、
前記プログラムコードは、
マルチクラスタ送信のための相互変調歪み積のスペクトル位置を判断するためのプログラムコードと、
対応するスペクトル領域に前記スペクトル位置をマッピングするためのプログラムコードと、
前記対応するスペクトル領域に少なくとも部分的に基づいて、前記マルチクラスタ送信の最大電力低減値を判断するためのプログラムコードと
を備える、コンピュータプログラム製品。
［Ｃ１９］
前記プログラムコードはさらに、
前記スペクトル位置の境界を判断するためのプログラムコードと、
前記スペクトル位置の前記境界に少なくとも部分的に基づいて、前記対応するスペクトル領域に前記スペクトル位置をマッピングするためのプログラムコードと
を備える、Ｃ１８に記載のコンピュータプログラム製品。
［Ｃ２０］
前記プログラムコードはさらに、
前記マルチクラスタ送信のために、３次相互変調歪み積または５次相互変調歪み積のうちの少なくとも１つに対応する前記スペクトル領域の組み合わせを判断するためのプログラムコードと
前記組み合わせに基づいて、前記最大電力低減値を判断するためのプログラムコードと
を備える、Ｃ１８に記載のコンピュータプログラム製品。